【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
ヒトの組織の開口部を閉鎖する閉鎖システムにおいて、
各々が付勢された構造を含む第１閉鎖部材および第２閉鎖部材を含む閉鎖アセンブリであって、前記付勢された構造が、前記第１閉鎖部材および前記第２閉鎖部材を後退配置および拡張配置になるようにかつそうでなくなるように配置するように作動する、閉鎖アセンブリと、
前記第１閉鎖部材および前記第２閉鎖部材と相互接続関係で配置され、かつそれらの間に少なくとも部分的な間隔を確立するように構成されたコネクタと、
を具備し、
前記付勢された構造および前記コネクタが、前記第１閉鎖部材および前記第２閉鎖部材の互いとの同時配置と、前記第１閉鎖部材および前記第２閉鎖部材の互いに対する、前記組織開口部に対する閉鎖関係になる独立した配置とを容易にするように、協働して構成されていることを特徴とする閉鎖システム。
【請求項２】
前記同時配置が、前記第１閉鎖部材および前記第２閉鎖部材が各々前記後退配置に配置されることを含むことを特徴とする請求項１に記載の閉鎖システム。
【請求項３】
前記独立した配置が、前記第１閉鎖部材および前記第２閉鎖部材が前記後退配置から前記拡張配置に連続的に配置されることを含むことを特徴とする請求項２に記載の閉鎖システム。
【請求項４】
前記独立した配置が、前記第１閉鎖部材および前記第２閉鎖部材が、前記後退配置から前記拡張配置に連続的に配置されることを含むことを特徴とする請求項１に記載の閉鎖システム。
【請求項５】
前記付勢された構造が、前記第１閉鎖部材および前記第２閉鎖部材が少なくとも部分的に固有に付勢された材料から形成されていることを含むことを特徴とする請求項１に記載の閉鎖システム。
【請求項６】
前記第１閉鎖部材および前記第２閉鎖部材の各々の前記固有に付勢された材料に対して上に重なる関係で配置されたカバーであって、前記閉鎖部材のうちの対応するものとともに前記後退配置と前記拡張配置との間で移動するのに十分に可撓性があるカバーをさらに具備することを特徴とする請求項５に記載の閉鎖システム。
【請求項７】
前記カバーは液体不透過性材料からなることを特徴とする請求項６に記載の閉鎖システム。
【請求項８】
前記第１閉鎖部材および前記第２閉鎖部材のうちの少なくとも一方が、ハブと、前記ハブに接続されかつ前記ハブから半径方向外側に前記拡張配置になるように通常付勢された複数の指とを備えることを特徴とする請求項５に記載の閉鎖システム。
【請求項９】
前記複数の指が、互いに対して間隔を空けた関係で配置され、前記拡張配置にあるときの前記組織開口部より大きい横方向の寸法をまとめて画定することを特徴とする請求項８に記載の閉鎖システム。
【請求項１０】
前記一方の閉鎖部材が前記拡張配置にあるとき、前記複数の指に対して上に重なる関係で、かつ前記組織開口部に対して覆う関係で配置された可撓性カバーをさらに具備することを特徴とする請求項９に記載の閉鎖システム。
【請求項１１】
前記第１閉鎖部材または前記第２閉鎖部材のうちの一方の前記ハブに取り付けられ、かつそこから外側に延在して前記第１閉鎖部材および前記第２閉鎖部材のうちの他方に取り付けられる前記コネクタをさらに具備することを特徴とする請求項８に記載の閉鎖システム。
【請求項１２】
前記閉鎖関係が、前記拡張配置にあるとき、前記第１閉鎖部材および前記第２閉鎖部材が、前記組織開口部の両側に同時に配置されることを含むことを特徴とする請求項１に記載の閉鎖システム。
【請求項１３】
前記閉鎖関係が、前記拡張配置にあるとき、前記コネクタが、前記組織開口部の異なる側との前記第１閉鎖部材および前記第２閉鎖部材の各々の対面関係に一致するように、前記組織開口部内に配置されることを含むことを特徴とする請求項１に記載の閉鎖システム。
【請求項１４】
前記閉鎖関係が、前記第１閉鎖部材および前記第２閉鎖部材の各々が、前記拡張配置に、かつ前記組織開口部の異なる反対側との少なくとも部分的封止関係で配置されることを含むことを特徴とする請求項１に記載の閉鎖システム。
【請求項１５】
前記閉鎖関係が、前記組織開口部が、前記第１閉鎖部材および前記第２閉鎖部材とそこを通って延在する前記コネクタとの間に挟装関係で配置されることをさらに含むことを特徴とする請求項１４に記載の閉鎖システム。
【請求項１６】
前記第１閉鎖部材および前記第２閉鎖部材の各々が、ハブと、前記ハブに接続されかつ前記ハブから半径方向外側に延在して前記拡張配置になるように通常付勢された複数の指とを備えることを特徴とする請求項１４に記載の閉鎖システム。
【請求項１７】
前記第１閉鎖部材および前記第２閉鎖部材が前記拡張配置にあるとき、前記第１閉鎖部材および前記第２閉鎖部材の各々の前記複数の指に対して上に重なる関係で、かつ前記組織開口部の対応して配置された側に対して覆う関係で配置された可撓性カバーをさらに具備することを特徴とする請求項１６に記載の閉鎖システム。
【請求項１８】
前記コネクタが、前記第１閉鎖部材および前記第２閉鎖部材の各々の前記ハブに固定して接続され、前記第１閉鎖部材および前記第２閉鎖部材が前記閉鎖関係にあるときに、前記組織開口部を通して配置されることを特徴とする請求項１６に記載の閉鎖システム。
【請求項１９】
ヒトの組織の開口部を閉鎖する閉鎖システムにおいて、
内部開放端部付き内腔を含む導入器具と、
各々が付勢された構造を有しかつ互いに少なくとも部分的に間隔を空けた関係で相互接続されている、第１閉鎖部材および第２閉鎖部材を含む閉鎖アセンブリと、
を具備し、
前記付勢された構造が、前記第１閉鎖部材および前記第２閉鎖部材を後退配置と拡張配置との間で配置するように作動し、
前記第１閉鎖部材および前記第２閉鎖部材が、前記後退配置にあるとき、前記内腔内で前記組織開口部と閉鎖関係になるように同時に配置可能でありかつ移動可能であり、
前記第１閉鎖部材および前記第２閉鎖部材が、前記拡張配置になるように、かつ前記閉鎖関係を少なくとも部分的に画定するように前記組織開口部の両側と対面関係で、前記内腔の外側に独立してかつ連続して配置される
ことを特徴とする閉鎖システム。
【請求項２０】
前記閉鎖関係が、前記第１閉鎖部材および前記第２閉鎖部材の各々が、前記拡張配置に、かつ前記組織開口部の異なる反対側の端部との少なくとも部分的封止関係で配置されることを含むことを特徴とする請求項１９に記載の閉鎖システム。
【請求項２１】
前記第１閉鎖部材および前記第２閉鎖部材の各々が、前記閉鎖部材の対応するものの実質的中心部分に接続され、かつそこから半径方向外側に延在して前記拡張配置になるように通常付勢された、複数のばね式指を備えることを特徴とする請求項１９に記載の閉鎖システム。
【請求項２２】
前記第１閉鎖部材および前記第２閉鎖部材が、前記拡張配置および前記組織開口部に対する前記閉鎖関係にあるとき、前記第１閉鎖部材および前記第２閉鎖部材の各々の前記複数の指に対して上に重なる関係で、かつ前記組織開口部に対して覆う関係で配置された可撓性カバーをさらに具備することを特徴とする請求項２１に記載の閉鎖システム。
【請求項２３】
組織開口部の閉鎖方法において、
接続された第１閉鎖部材および第２閉鎖部材を後退配置に配置するステップと、
前記後退配置にある間、前記組織開口部に実質的に隣接する作動位置まで前記第１閉鎖部材および前記第２閉鎖部材を同時に移動させるステップと、
前記第１閉鎖部材を、拡張配置、および前記組織開口部の第１の側に対して閉鎖関係になるように導入するステップと、
その後、前記第２閉鎖部材を、拡張配置、および前記組織開口部の反対側に配置された側に対して閉鎖関係になるように配置するステップと、
前記第１閉鎖部材および前記第２閉鎖部材の各々が前記組織開口部の異なる反対側と少なくとも部分的に閉鎖関係で配置されることを含むものとして、前記閉鎖関係を規定するステップとを含むことを特徴とする方法。